(57)【要約】【課題】低消費電力を実現することができる。【解決手段】光源は、露光検出を行う画素であるOPD画素が受けられる波長の光源であり、その発光は、PCなどで制御される。OPD画素は、撮影環境の明るさを検出することに特化した画素であり、光電変換を利用して、電力消費なしに受光量を電流値に変換する。検出器は、OPD画素の電流値の変化（光の強度、受光時間、点滅パターンなど）を検出し、検出した場合、検出結果を、制御部に供給することで、図示せぬ他の装置、または、固体撮像装置に対して動作指示を行う。本開示は、例えば、OPD画素を備える固体撮像装置に適用することができる。【選択図】図２
2017011452.tif 000002
【特許請求の範囲】
【請求項１】
光源からの光を受光し、光電変換を利用して、受光量を電流値に変換する画素と、
前記画素の電流値の変化を検出し、検出結果に応じた動作指示を行う検出部と
を備える撮像装置。
【請求項２】
前記画素は、撮影環境の明るさを検出することに特化した画素であり、光電変換を利用して、電力消費なしに受光量を電流値に変換する画素である
請求項１の記載の撮像装置。
【請求項３】
前記検出部は、前記画素の電流値の変化として、光の強度、受光時間、点滅パターン、および波長の少なくともいずれか１つを検出する
請求項２の記載の撮像装置。
【請求項４】
前記光源からの同一の色、周波数の光を時間的に変化させることで、前記検出部は、前記画素の電流値の変化の組み合わせからなる指示トリガを検出する
請求項３の記載の撮像装置。
【請求項５】
前記光源からの異なる色、周波数の光を時間的に変化させることで、前記検出部は、前記画素の電流値の変化の組み合わせからなり、色別に異なる指示トリガを検出する
請求項３の記載の撮像装置。
【請求項６】
前記光源からの異なる周波数の光を同一時間に発光させることで、前記検出部は、前記画素の電流値の変化の組み合わせからなり、同一時刻に異なる周波数の指示トリガを検出する
請求項３の記載の撮像装置。
【請求項７】
前記検出部は、自分以外の各部に対するシステム起動指示を行う
請求項２の記載の撮像装置。
【請求項８】
前記検出部は、他の装置への画像データの送信指示を行う
請求項２の記載の撮像装置。
【請求項９】
前記検出部は、前記画素を含んで構成される固体撮像装置への撮像指示を行う
請求項２の記載の撮像装置。
【請求項１０】
前記検出部は、前記画素の電流値の変化の組み合わせからなるデータの転送指示を行う
請求項２の記載の撮像装置。
【請求項１１】
撮像装置が、
光源からの光を受光し、光電変換を利用して、受光量を電流値に変換する画素の電流値の変化を検出し、検出結果に応じた動作指示を行う
制御方法。
【発明の詳細な説明】
【技術分野】
【０００１】
本開示は、撮像装置および制御方法に関し、特に、低消費電力を実現することができるようにした撮像装置および制御方法に関する。
【背景技術】
【０００２】
複数のカメラで撮影のために時刻を同期させる方法として、特許文献１においては、時刻同期情報算出方法が提案されており、この提案では、実際に撮像される画像に変換を与えることにより同期を行っている。
【先行技術文献】
【特許文献】
【０００３】
【特許文献１】国際公開第２０１３／０９４１１５号
【発明の概要】
【発明が解決しようとする課題】
【０００４】
しかしながら、特許文献１に記載の提案では、同期のために撮影動作を行う必要があり、低消費電力を実現することが困難である。また、同期に使用した画像は、本来の撮影目的に使用することが難しく、無駄になってしまっていた。
【０００５】
本開示は、このような状況に鑑みてなされたものであり、低消費電力を実現することができるものである。
【課題を解決するための手段】
【０００６】
本技術の一側面の撮像装置は、光源からの光を受光し、光電変換を利用して、受光量を電流値に変換する画素と、前記画素の電流値の変化を検出し、検出結果に応じた動作指示を行う検出部とを備える。
【０００７】
前記画素は、撮影環境の明るさを検出することに特化した画素であり、光電変換を利用して、電力消費なしに受光量を電流値に変換する画素である。
【０００８】
前記検出部は、前記画素の電流値の変化として、光の強度、受光時間、点滅パターン、および波長の少なくともいずれか１つを検出することができる。
【０００９】
前記光源からの同一の色、周波数の光を時間的に変化させることで、前記検出部は、前記画素の電流値の変化の組み合わせからなる指示トリガを検出することができる。
【００１０】
前記光源からの異なる色、周波数の光を時間的に変化させることで、前記検出部は、前記画素の電流値の変化の組み合わせからなり、色別に異なる指示トリガを検出することができる。
【００１１】
前記光源からの異なる周波数の光を同一時間に発光させることで、前記検出部は、前記画素の電流値の変化の組み合わせからなり、同一時刻に異なる周波数の指示トリガを検出することができる。
【００１２】
前記検出部は、自分以外の各部に対するシステム起動指示を行うことができる。
【００１３】
前記検出部は、他の装置への画像データの送信指示を行うことができる。
【００１４】
前記検出部は、前記画素を含んで構成される固体撮像装置への撮像指示を行うことができる。
【００１５】
前記検出部は、前記画素の電流値の変化の組み合わせからなるデータの転送指示を行うことができる。
【００１６】
本発明の一側面の制御方法は、撮像装置が、光源からの光を受光し、光電変換を利用して、受光量を電流値に変換する画素の電流値の変化を検出し、検出結果に応じた動作指示を行う。
【００１７】
本技術の一側面においては、光源からの光が受光され、光電変換を利用して、受光量を電流値に変換する画素の電流値の変化が検出される。そして、その検出結果に応じた動作指示が行われる。
【発明の効果】
【００１８】
本技術によれば、低消費電力を実現することができる。
【００１９】
なお、本明細書に記載された効果は、あくまで例示であり、本技術の効果は、本明細書に記載された効果に限定されるものではなく、付加的な効果があってもよい。
【図面の簡単な説明】
【００２０】
【図１】本技術を適用した固体撮像装置の概略構成例を示すブロック図である。
【図２】本技術を適用した撮像システムの例を示すブロック図である。
【図３】図２の撮像システムの処理について説明するフローチャートである。
【図４】本技術を適用した撮像装置の例を示すブロック図である。
【図５】図４の撮像装置を含む撮像システムの例を示すブロック図である。
【図６】図５の撮像システムの処理について説明するフローチャートである。
【図７】光源発光の例を示す図である。
【図８】指示トリガの例を示す図である。
【図９】イメージセンサの使用例を示す図である。
【図１０】本技術を適用した電子機器の構成例を示すブロック図である。
【発明を実施するための形態】
【００２１】
以下、本開示を実施するための形態（以下実施の形態とする）について説明する。なお、説明は以下の順序で行う。
１．第１の実施の形態（撮像システムの例）
２．第２の実施の形態（変形例）
３．第３の実施の形態（イメージセンサの使用例）
４．第４の実施の形態（電子機器の例）
【００２２】
＜第１の実施の形態＞
＜固体撮像装置の概略構成例＞
図１は、本技術の各実施の形態に適用されるCMOS（Complementary Metal Oxide Semiconductor）固体撮像装置の一例の概略構成例を示している。
【００２３】
図１に示されるように、固体撮像装置（素子チップ）１は、半導体基板１１（例えばシリコン基板）に複数の光電変換素子を含む画素２が規則的に２次元的に配列された画素領域（いわゆる撮像領域）３と、周辺回路部とを有して構成される。
【００２４】
画素２は、光電変換素子（例えばフォトダイオード）と、複数の画素トランジスタ（いわゆるMOSトランジスタ）を有してなる。複数の画素トランジスタは、例えば、転送トランジスタ、リセットトランジスタ、および増幅トランジスタの３つのトランジスタで構成することができ、さらに選択トランジスタを追加して４つのトランジスタで構成することもできる。各画素２（単位画素）の等価回路は一般的なものと同様であるので、ここでは詳細な説明は省略する。
【００２５】
また、画素２は、共有画素構造とすることもできる。画素共有構造は、複数のフォトダイオード、複数の転送トランジスタ、共有される１つのフローティングディフュージョン、および、共有される１つずつの他の画素トランジスタから構成される。
【００２６】
周辺回路部は、垂直駆動回路４、カラム信号処理回路５、水平駆動回路６、出力回路７、および制御回路８から構成される。
【００２７】
制御回路８は、入力クロックや、動作モード等を指令するデータを受け取り、また、固体撮像装置１の内部情報等のデータを出力する。具体的には、制御回路８は、垂直同期信号、水平同期信号、およびマスタクロックに基づいて、垂直駆動回路４、カラム信号処理回路５、および水平駆動回路６の動作の基準となるクロック信号や制御信号を生成する。そして、制御回路８は、これらの信号を垂直駆動回路４、カラム信号処理回路５、および水平駆動回路６に入力する。
【００２８】
垂直駆動回路４は、例えばシフトレジスタによって構成され、画素駆動配線を選択し、選択された画素駆動配線に画素２を駆動するためのパルスを供給し、行単位で画素２を駆動する。具体的には、垂直駆動回路４は、画素領域３の各画素２を行単位で順次垂直方向に選択走査し、垂直信号線９を通して各画素２の光電変換素子において受光量に応じて生成した信号電荷に基づいた画素信号をカラム信号処理回路５に供給する。
【００２９】
カラム信号処理回路５は、画素２の例えば列毎に配置されており、１行分の画素２から出力される信号を画素列毎にノイズ除去等の信号処理を行う。具体的には、カラム信号処理回路５は、画素２固有の固定パターンノイズを除去するためのCDS（Correlated Double Sampling）や、信号増幅、A/D（Analog/Digital）変換等の信号処理を行う。カラム信号処理回路５の出力段には、水平選択スイッチ（図示せず）が水平信号線１０との間に接続されて設けられる。
【００３０】
水平駆動回路６は、例えばシフトレジスタによって構成され、水平走査パルスを順次出力することによって、カラム信号処理回路５の各々を順番に選択し、カラム信号処理回路５の各々から画素信号を水平信号線１０に出力させる。
【００３１】
出力回路７は、カラム信号処理回路５の各々から水平信号線１０を通して順次に供給される信号に対し、信号処理を行って出力する。出力回路７は、例えば、バッファリングだけを行う場合もあるし、黒レベル調整、列ばらつき補正、各種デジタル信号処理等を行う場合もある。
【００３２】
入出力端子１２は、外部と信号のやりとりをするために設けられる。
【００３３】
＜撮像システムの構成例＞
図２は、本技術を適用した撮像システムの例を示すブロック図である。
【００３４】
図２に示される撮像システム５１は、例えば、光源６１および撮像装置６２を含むように構成されている。なお、撮像システム５１には、図示せぬ他の撮像装置６２や他の装置も含まれている。
【００３５】
光源６１は、露光検出を行う画素であるOPD(optical detector)画素７３が受けられる波長の光源であり、その発光は、後述するPC(Personal Computer)などで制御される。
【００３６】
撮像装置６２は、固体撮像装置７１、メモリ７２、OPD画素７３、検出器７４、および制御対象７５を含むように構成されている。撮像装置６２は、通常、検出器７４を除いて、停止状態（超低消費電力状態）である。
【００３７】
固体撮像装置７１は、画素２のうちの少なくとも１以上のいくつかをOPD画素７３に入れ替えただけであり、その他は、固体撮像装置１と基本的に同様の構成とされる。OPD画素７３の配置は、画素領域３内であれば、特に限定されない。
【００３８】
メモリ７２は、生産時に記録される固定メモリであり、撮像装置６２固有のIDを内蔵している。
【００３９】
OPD画素７３は、撮影環境の明るさを検出することに特化した画素であり、光電変換を利用して、電力消費なしに受光量を電流値に変換する。OPD画素７３は、撮影の条件（露光時間）を確認し調整するために予め備えられている。OPD画素７３は、ダイナミックレンジを広くとることができる。なお、OPD画素７３が埋め込まれていない場合、他の画素２を使うことも可能であるが、この場合、固体撮像装置７１の起動が必要となる。
【００４０】
検出器７４は、OPD画素７３に電流があふれてくるので、OPD画素７３の電流値の変化（光の強度、受光時間、点滅パターンなど）を検出し、検出した場合、検出結果に応じた動作指示を、制御対象７５や固体撮像装置７１に行う。
【００４１】
制御対象７５は、検出器７４からの検出結果に基づいて検出部７４が動作指示を行う（制御する）対象である。その対象とは、例えば、撮像システム５１に含まれる図示せぬ他の装置、または、撮像装置６２の各部である。なお、他の装置に動作指示を行う場合、無線通信などの機能が具備される。
【００４２】
なお、固体撮像装置７１内に、メモリ７２、OPD画素７３、検出器７４、および制御対象７５を含むように構成してもよい。
【００４３】
＜撮像システムの処理例＞
次に、図３のフローチャートを参照して、撮像システム５１の処理について説明する。撮像装置６２は、検出器７４を除き、停止状態となっている。
【００４４】
ステップＳ１１において、光源６１が発光する。ステップＳ１２において、OPD画素７３は、光源６１からの光を受光し、受光量を電流値に変換する。
【００４５】
ステップＳ１３において、検出器７４は、OPD画素７３に電流があふれてくるので、OPD画素７３の電流値の変化（光の強度、受光時間、点滅パターンなど）を検出する。
【００４６】
ステップＳ１４において、検出器７４は、検出した場合、検出結果に応じた指示を、制御対象７５である他の装置や撮像装置６２の各部に行う。
【００４７】
例えば、固体撮像装置７１への指示発行の場合、発行された指示を受けることで、固体撮像装置７１は、停止状態から復帰し、受けとった指示に応じて動作開始する。また、例えば、制御対象７５が指示を受け取った場合、制御対象７５は、停止状態から復帰し、受けとった指示に応じて動作開始する。
【００４８】
＜撮像装置の構成例＞
図４は、撮像装置の他の構成例を示すブロック図である。
【００４９】
図４の撮像装置１０１は、検出器７４がトリガ検出器１１１に入れ替わった点と、制御対象７５が除かれた点と、アンテナ１１４付きの無線送信器１１３が追加された点とが異なるだけであり、それ以外は、図２の撮像装置６２と基本的に同様に構成されるため、その説明は省略される。
【００５０】
トリガ検出器１１１は、電流値の変化のパターンをトリガ（以下、指示トリガとも称する）として予め設定しており、OPD画素７３の電流値の変化によるトリガを検出する。例えば、トリガ検出器１１１には、トリガとして、撮影のトリガと、画像データ送信のトリガ、あるいは、撮影および画像データ送信のトリガが設定されている。また、複数種類のトリガが動作に対応させて設定されていてもよい。例えば、トリガ１には撮影が対応されており、トリガ２には画像データ送信が対応されて設定されている。
【００５１】
トリガ検出器１１１は、検出したトリガを、所定の指示として、対応する各部に出力することで、その指示を行わせる。例えば、トリガ検出器１１１は、トリガ１が検出された場合、固体撮像装置７１に撮影を行わせる。例えば、トリガ検出器１１１は、トリガ２が検出された場合、固体撮像装置７１により撮影された画像データを、無線送信機１１２に送信させる。
【００５２】
無線送信機１１２は、トリガ検出器１１１からの指示を受けると、起動し、トリガ検出器１１１からの指示に応じた固体撮像装置７１からの画像データを、送信アンテナ１１４を介して、送信する。
【００５３】
＜撮像システムの構成例＞
図５は、本技術を適用した撮像システム１５１の構成例を示す図である。
【００５４】
撮像システム１５１は、光源６１、図４の撮像装置１０１−１乃至１０１−４、およびPC１６１を含むように構成されている。
【００５５】
撮像システム１５１においては、無線通信が行われるが、撮像装置１０１−１乃至１０１−４は、すべて同じ周波数帯で無線通信を行う。
【００５６】
そこで、撮像システム１５１においては、各撮像装置１０１−１乃至１０１−４を、それぞれが個別のトリガを検出（認識）できるように構成し、１つの光源６１から多数の撮像装置１０１−１乃至１０１−４へ選択的に指示を送ることで、無線通信をスムーズに行うことができる。
【００５７】
光源６１は、時間的な強度変化や波長（色）の変化などを組み合わせることで、多数の中から１つについて指示を出すことができる。
【００５８】
撮像装置１０１−１乃至１０１−４においては、それぞれ、撮影のトリガと送信のトリガが設定されており、光源６１からの光を受け取り、受け取った電流値の変化からトリガを検出する。撮像装置１０１−１乃至１０１−４は、トリガを検出した場合、トリガに対応する処理を行う。
【００５９】
PC１６１は、アンテナ１６３付きの無線受信器１６２を有している。PC１６１は、光源６１の制御を行い、例えば、どの撮像装置１０１により画像を撮影させ、どの撮像装置１０１からの画像データを送信するかなどを設定する。撮像装置１０１−１乃至１０１−４から送信されてくる画像データは、アンテナ１６３を介して、無線受信器１６２が受信し、PC１６１に供給される。
【００６０】
なお、図５の撮像システム１５１においては、光源６１により、撮像装置１０１−３の撮影が選択的に指示されており、撮像装置１０１−４の画像データの送信が選択的に指示されている例が示されている。
【００６１】
＜撮像システムの処理例＞
図６のフローチャートを参照して、図５の撮像システムの処理について説明する。
【００６２】
PC１６１は、ステップＳ１１１において、光源６１を制御し、光源６１を発光させる。
【００６３】
撮像装置１０１−１乃至１０１−４の各OPD画素７３は、それぞれ、ステップＳ１３１において、受光し、電流値に変換する。各トリガ検出器１１１は、ステップＳ１３２において、各OPD画素７３の変化によるトリガを検出する。
【００６４】
各トリガ検出器１１１は、ステップＳ１３３において、トリガを検出したか否かを判定する。ステップＳ１３３において、トリガを検出したと判定された場合、処理は、ステップＳ１３４に進む。例えば、撮像装置１０１−３のトリガ検出器１１１において、撮像のトリガが検出されたとし、撮像装置１０１−４のトリガ検出器１１１において、画像データ送信のトリガが検出されたとする。
【００６５】
ステップＳ１３４において、トリガ検出器１１１は、検出されたトリガが、撮像のトリガであるか否かを判定する。ステップＳ１３４において、検出されたトリガが撮像のトリガであると判定された場合、処理は、ステップＳ１３５に進む。
【００６６】
ステップＳ１３５において、トリガ検出器１１１は、固体撮像装置７１を起動させ、撮像させる。これに対応して、固体撮像装置７１は起動して、撮像する。撮像による画像データは、図示せぬ画像メモリに一時保存される。
【００６７】
ステップＳ１３４において、検出されたトリガが撮像のトリガではないと判定された場合、処理は、ステップＳ１３６に進む。ステップＳ１３６において、トリガ検出器１１１は、無線送信器１１２を起動させ、画像データを送信させる。これに対応して、無線送信器１１２は、起動し、図示せぬ画像メモリに一時保存されている画像データを送信する。
【００６８】
ステップＳ１１２において、PC１６１の無線受信器１６２は、アンテナ１６３を介して、無線送信器１１２からの画像データを受信する。
【００６９】
ステップＳ１１３において、PC１６１は、図示せぬ記憶部に、受信された画像データを録する。
【００７０】
ステップＳ１３６の後、または、ステップＳ１３３においてトリガを検出していないと判定された場合、処理は、ステップＳ１３７に進む。
【００７１】
ステップＳ１３７において、撮像装置１０１のうち、起動した固体撮像装置７１また無線送信器１１２（トリガ検出器１１１以外の各部）は、動作を停止し、超低消費電力の状態に戻る。
【００７２】
以上のようにすることで、動作をしている時以外は、超低消費電力の状態として、消費電力を低くすることができる。
【００７３】
＜第２の実施の形態（変形例）＞
＜光源発光の例＞
図７Ａ乃至図７Ｃは、光源発光の例を示す図である。
【００７４】
図７Ａに示されるように、光源６１からの同一の色、周波数の光を時間的に変化させることで、トリガ検出器１１１においては、指示トリガを検出することができる。また、その光の時間的に変化させる複数のパターンを設定することで、トリガ検出器１１１においては、複数の指示トリガを検出することができる。
【００７５】
図７Ｂに示されるように、光源６１からの異なる色、周波数の光を時間的に変化させることで、トリガ検出器１１１においては、色別に異なる指示トリガを検出することができる。
【００７６】
図７Ｃに示されるように、光源６１からの異なる周波数の光（例えば、可視光と赤外光（IR光））を同一時間に発光させることで、異なる周波数の光を分離可能なトリガ検出器１１１においては、同一時刻に異なるトリガを検出することができる。
【００７７】
例えば、可視光での撮影と、赤外光でのトリガ検出を同時に行うことができる。また、OPD画素による露光調整用検波と赤外光からのトリガ検出を同時に行うことができる。
【００７８】
＜指示トリガの例＞
図８Ａ乃至図８Ｄは、指示トリガの例を示す図である。
【００７９】
図８Ａに示されるように、トリガ検出器１１１は、光源６１の光からの電流値の変化を検出した結果の指示トリガにより、撮像装置６２のメイン回路１８１に対するシステム起動指示を行うことができる。メイン回路１８１とは、撮像装置６２における、トリガ検出器１１１以外の各部のことである。
【００８０】
図８Ｂに示されるように、トリガ検出器１１１は、無線送信器１１２がすでに起動している場合、光源６１の光からの電流値の変化を検出した結果の指示トリガにより、無線送信器１１２に対して、アンテナ１６３を備える無線受信器１６２への送信開始指示を行うことができる。
【００８１】
図８Ｃに示されるように、トリガ検出器１１１は、無線送信器１１２がすでに起動している場合、光源６１の光からの電流値の変化を検出した結果の指示トリガにより、その検出された電流値の変化の組み合わせでなるデータを、無線送信器１１２のデータメモリ１８２に送ることができる。
【００８２】
図８Ｄに示されるように、トリガ検出器１１１は、固体撮像装置７１がすでに起動している場合、光源６１の光からの電流値の変化を検出した結果の指示トリガにより、固体撮像装置７１に撮影を行わせることができる。
【００８３】
以上のように、本技術によれば、OPD画素がイメージセンサに内蔵される照度センサであるので、追加の機構が不要であり、コストパフォーマンスがよい。また、センサ内蔵照度計と検出機構のみを動作させているので、通常の撮影に比べて低消費電力となる。
【００８４】
また、トリガをIR光で行う場合、撮影のための明るさ測定とトリガ検出を同時に行うことが可能である。さらに、トリガをIR光で行う場合、光源からの指示or照度計による明るさ変化など２種類のトリガを受け付けることが可能である。
【００８５】
＜第３の実施の形態（イメージセンサの使用例）＞
図９は、上述の固体撮像装置を使用する使用例を示す図である。
【００８６】
上述した固体撮像装置（イメージセンサ）は、例えば、以下のように、可視光や、赤外光、紫外光、X線等の光をセンシングする様々なケースに使用することができる。
【００８７】
・ディジタルカメラや、カメラ機能付きの携帯機器等の、鑑賞の用に供される画像を撮影する装置
・自動停止等の安全運転や、運転者の状態の認識等のために、自動車の前方や後方、周囲、車内等を撮影する車載用センサ、走行車両や道路を監視する監視カメラ、車両間等の測距を行う測距センサ等の、交通の用に供される装置
・ユーザのジェスチャを撮影して、そのジェスチャに従った機器操作を行うために、TVや、冷蔵庫、エアーコンディショナ等の家電に供される装置
・内視鏡や、赤外光の受光による血管撮影を行う装置等の、医療やヘルスケアの用に供される装置
・防犯用途の監視カメラや、人物認証用途のカメラ等の、セキュリティの用に供される装置
・肌を撮影する肌測定器や、頭皮を撮影するマイクロスコープ等の、美容の用に供される装置
・スポーツ用途等向けのアクションカメラやウェアラブルカメラ等の、スポーツの用に供される装置
・畑や作物の状態を監視するためのカメラ等の、農業の用に供される装置
【００８８】
＜第４の実施の形態（電子機器の例）＞
＜電子機器の構成例＞
【００８９】
さらに、本技術は、固体撮像装置への適用に限られるものではなく、撮像装置にも適用可能である。ここで、撮像装置とは、デジタルスチルカメラやデジタルビデオカメラ等のカメラシステムや、携帯電話機等の撮像機能を有する電子機器のことをいう。なお、電子機器に搭載されるモジュール状の形態、すなわちカメラモジュールを撮像装置とする場合もある。
【００９０】
ここで、図１０を参照して、本技術の第４の実施の形態の電子機器の構成例について説明する。
【００９１】
図１０に示される電子機器３００は、撮像装置（素子チップ）３０１、光学レンズ３０２、シャッタ装置３０３、駆動回路３０４、および信号処理回路３０５を備えている。固体撮像装置３０１としては、上述した本技術の第１の実施の形態の固体撮像装置７１が設けられ、さらに、図示せぬメモリ７２、OPD画素７３、検出器７４、および制御対象７５が含まれる。これにより、電子機器３００の固体撮像装置３０１の低電力化を行うことができる。
【００９２】
光学レンズ３０２は、被写体からの像光（入射光）を固体撮像装置３０１の撮像面上に結像させる。これにより、固体撮像装置３０１内に一定期間信号電荷が蓄積される。シャッタ装置３０３は、固体撮像装置３０１に対する光照射期間および遮光期間を制御する。
【００９３】
駆動回路３０４は、固体撮像装置３０１の信号転送動作およびシャッタ装置３０３のシャッタ動作を制御する駆動信号を供給する。駆動回路３０４から供給される駆動信号（タイミング信号）により、固体撮像装置３０１は信号転送を行う。信号処理回路３０５は、固体撮像装置３０１から出力された信号に対して各種の信号処理を行う。信号処理が行われた映像信号は、メモリなどの記憶媒体に記憶されたり、モニタに出力される。シャッタ装置３０３、駆動回路３０４、信号処理回路３０５は、停止状態であり、図３を参照して上述したように、検出回路７４からの指示により起動する。
【００９４】
なお、本開示における実施の形態は、上述した実施の形態に限定されるものではなく、本開示の要旨を逸脱しない範囲において種々の変更が可能である。
【００９５】
また、以上において、１つの装置（または処理部）として説明した構成を分割し、複数の装置（または処理部）として構成するようにしてもよい。逆に、以上において複数の装置（または処理部）として説明した構成をまとめて１つの装置（または処理部）として構成されるようにしてもよい。また、各装置（または各処理部）の構成に上述した以外の構成を付加するようにしてももちろんよい。さらに、システム全体としての構成や動作が実質的に同じであれば、ある装置（または処理部）の構成の一部を他の装置（または他の処理部）の構成に含めるようにしてもよい。つまり、本技術は、上述した実施の形態に限定されるものではなく、本技術の要旨を逸脱しない範囲において種々の変更が可能である。
【００９６】
以上、添付図面を参照しながら本開示の好適な実施形態について詳細に説明したが、開示はかかる例に限定されない。本開示の属する技術の分野における通常の知識を有するのであれば、特許請求の範囲に記載された技術的思想の範疇内において、各種の変更例また修正例に想到し得ることは明らかであり、これらについても、当然に本開示の技術的範囲に属するものと了解される。
【００９７】
なお、本技術は以下のような構成も取ることができる。
（１）  光源からの光を受光し、光電変換を利用して、受光量を電流値に変換する画素と、
前記画素の電流値の変化を検出し、検出結果に応じた動作指示を行う検出部と
を備える撮像装置。
（２）  前記画素は、撮影環境の明るさを検出することに特化した画素であり、光電変換を利用して、電力消費なしに受光量を電流値に変換する画素である
前記（１）に記載の撮像装置。
（３）  前記検出部は、前記画素の電流値の変化として、光の強度、受光時間、点滅パターン、および波長の少なくともいずれか１つを検出する
前記（１）または（２）に記載の撮像装置。
（４）  前記光源からの同一の色、周波数の光を時間的に変化させることで、前記検出部は、前記画素の電流値の変化の組み合わせからなる指示トリガを検出する
前記（３）に記載の撮像装置。
（５）  前記光源からの異なる色、周波数の光を時間的に変化させることで、前記検出部は、前記画素の電流値の変化の組み合わせからなり、色別に異なる指示トリガを検出する
前記（３）に記載の撮像装置。
（６）  前記光源からの異なる周波数の光を同一時間に発光させることで、前記検出部は、前記画素の電流値の変化の組み合わせからなり、同一時刻に異なる周波数の指示トリガを検出する
前記（３）に記載の撮像装置。
（７）  前記検出部は、自分以外の各部に対するシステム起動指示を行う
前記（１）乃至（６）のいずれかに記載の撮像装置。
（８）  前記検出部は、他の装置への画像データの送信指示を行う
前記（１）乃至（６）のいずれかに記載の撮像装置。
（９）  前記検出部は、前記画素を含んで構成される固体撮像装置への撮像指示を行う
前記（１）乃至（６）のいずれかに記載の撮像装置。
（１０）  前記検出部は、前記画素の電流値の変化の組み合わせからなるデータの転送指示を行う
前記（１）乃至（６）のいずれかに記載の撮像装置。
（１１）  撮像装置が、
光源からの光を受光し、光電変換を利用して、受光量を電流値に変換する画素の電流値の変化を検出し、検出結果に応じた動作指示を行う
制御方法。
【符号の説明】
【００９８】
１  固体撮像装置，  ２  画素，  ３  画素領域，  １１  半導体基板，  ５１  撮像システム，  ６１  光源，  ６２  撮像装置，  ７１  固体撮像装置，  ７２  メモリ，  ７３  OPD画素，  ７４  検出器，  ７５  制御対象，  １０１，１０１−１乃至１０１−４  撮像装置，  １１１  トリガ検出器，  １１２  無線送信器，  １１３  アンテナ，  １５１  撮像システム，  １６１  PC，  １６２  無線受信器，  １６３  アンテナ，  ３００  電子機器，  ３０１  固体撮像装置，  ３０２  光学レンズ，  ３０３  シャッタ装置，  ３０４  駆動回路，  ３０５  信号処理回路
【図１】
2017011452.tif 000003
【図２】
2017011452.tif 000004
【図３】
2017011452.tif 000005
【図４】
2017011452.tif 000006
【図５】
2017011452.tif 000007
【図６】
2017011452.tif 000008
【図７】
2017011452.tif 000009
【図８】
2017011452.tif 000010
【図９】
2017011452.tif 000011
【図１０】
2017011452.tif 000012